【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
第１の患者に対する患者パラメータ、処置パラメータ、および外科医パラメータを得るように構成された初期化モジュールであって、前記患者パラメータ、前記処置パラメータおよび前記外科医パラメータに基づいてＸ線源に対する第１の複数の設定を選択するように構成された初期化モジュールと、
（ｉ）前記第１の患者の関心領域の１つまたは複数の画像の第１のサンプル集合、および（ｉｉ）１つまたは複数の画像のマスタサンプル集合を得るように構成され、１つまたは複数の画像の前記第１のサンプル集合が、前記Ｘ線源が前記第１の複数の設定に従って動作した結果として取得された、画像モジュールと、
１つまたは複数の画像の前記マスタサンプル集合に１つまたは複数の画像の前記第１のサンプル集合を位置合せするように構成された位置合せモジュールと、
画素パラメータ、または前記患者パラメータの１つに基づいて前記位置合せの結果に対応する画素データを処理するように構成された処理モジュールと、
前記第１の複数の設定を調節して更新された設定を提供するように構成され、前記更新された設定と関連付けられるＸ線量が、前記第１の複数の設定と関連付けられるＸ線量より少ない、設定モジュールとを備えるシステム。
【請求項２】
前記画像モジュールが、前記Ｘ線源の第２の複数の設定に基づいて１つまたは複数の画像の前記マスタサンプル集合を取得するように構成され、
前記第２の複数の設定が、前記第１の複数の設定とは異なる、請求項１に記載のシステム。
【請求項３】
１つまたは複数の画像の前記マスタサンプル集合が、１つまたは複数の画像の前記第１のサンプル集合の前に、かつ１つまたは複数の画像の前記第１のサンプル集合と同じ処置の前または処置中に得られる、請求項１または２に記載のシステム。
【請求項４】
１つまたは複数の画像の前記第１のサンプル集合が、自動学習モードまたは手動モードで動作している間に取得される、請求項１〜３のいずれか一項に記載のシステム。
【請求項５】
１つまたは複数の画像の前記第１のサンプル集合が、後処理モードの間にメモリからアクセスされる、請求項１〜４のいずれか一項に記載のシステム。
【請求項６】
（ｉ）１つまたは複数の画像の前記第１のサンプル集合の品質を判定し、（ｉｉ）１つまたは複数の画像の前記第１のサンプル集合の前記品質に基づいて前記画像モジュールに１つまたは複数の画像の第２の集合を取得するように命令するように構成された品質モジュールをさらに備える、請求項１〜５のいずれか一項に記載のシステム。
【請求項７】
前記画像モジュールが、（ｉ）前記処理モジュールが前記画素データを処理する前に最小サンプル集合が利用可能であるかどうかを判定し、（ｉｉ）前記最小サンプル集合が利用可能でなければ、１つまたは複数の画像の第２のサンプル集合を取得またはアクセスするように構成される、請求項１〜６のいずれか一項に記載のシステム。
【請求項８】
１つまたは複数の画像の前記第２のサンプル集合が、前記第１の患者の前記関心領域についてであるか、または第２の患者の関心領域についてである、請求項７に記載のシステム。
【請求項９】
前記患者パラメータが、前記第１の患者に対応するパラメータおよび第２の患者に対応するパラメータを含み、
前記外科医パラメータが、複数の外科医に対する外科医パラメータを含む、
請求項１〜８のいずれか一項に記載のシステム。
【請求項１０】
前記設定モジュールが、前記第１の患者の大きさ、前記患者の前記関心領域、１つまたは複数の画像の前記第１のサンプル集合および１つまたは複数の画像の前記マスタサンプル集合の画素強度レベル、および１つまたは複数の画像の前記第１のサンプル集合の連続性に基づいて、前記Ｘ線源に対する更新された設定を決定するように構成される、請求項１〜９のいずれか一項に記載のシステム。
【請求項１１】
１つまたは複数の画像の前記第１のサンプル集合の前記連続性が、１つまたは複数の画像の前記第１のサンプル集合と１つまたは複数の画像の他の記憶されたサンプル集合との間の類似性を指す、請求項１０に記載のシステム。
【請求項１２】
設定モジュールが、自動学習モードの間に、（ｉ）前記第１の複数の設定を前記更新された設定に調節し、（ｉｉ）外科医に前記更新された設定の確認を促すように構成される、請求項１０に記載のシステム。
【請求項１３】
前記設定モジュールが、手動モードの間に、（ｉ）前記第１の複数の設定を調節することなく外科医に前記更新された設定を気付かせ、（ｉｉ）入力が受信され、前記更新された設定の確認を示していれば、前記第１の複数の設定を前記更新された設定に調節するように構成される、請求項１０に記載のシステム。
【請求項１４】
前記第１の複数の設定が、第１の処置の間に１つまたは複数の画像の前記第１のサンプル集合を取得するために使用され、
前記設定モジュールが、前記第１の複数の設定を、第２の処置に対する１つまたは複数の画像の予め設定された、または更新されたマスタサンプル集合として記憶するように構成される、請求項１０に記載のシステム。
【請求項１５】
前記位置合せモジュールが、（ｉ）１つまたは複数の画像の前記第１のサンプル集合を、１つまたは複数の画像の前記マスタサンプル集合と位置合せするために回転させ、かつそのズームレベルを調節し、（ｉｉ）１つまたは複数の画像の前記マスタサンプル集合との１つまたは複数の画像の前記第１の集合の位置合せを検証するように構成される、請求項１〜１４のいずれか一項に記載のシステム。
【請求項１６】
処置のための前記第１の複数の設定の１つまたは複数が、（ｉ）前記処置のために使用される典型的な設定の１つまたは複数のそれぞれの範囲、または（ｉｉ）前記処置のための推奨設定の１つまたは複数のそれぞれの範囲外であるかどうかを示すフィードバックを提供するように構成されたフィードバックモジュールをさらに備える、請求項１〜１５のいずれか一項に記載のシステム。
【請求項１７】
前記第１の複数の設定の１つまたは複数が１つまたは複数の範囲外であり、前記第１の複数の設定の使用から生じるＸ線量が所定の閾値を超えることを示していることを示す警告信号を生成するように構成された閾値モジュールをさらに備える、請求項１〜１６のいずれか一項に記載のシステム。
【請求項１８】
第１の患者に対する患者パラメータ、処置パラメータ、および外科医パラメータを得、前記患者パラメータ、前記処置パラメータおよび前記外科医パラメータに基づいてＸ線源に対する第１の複数の設定を選択するステップと、
（ｉ）前記第１の患者の関心領域の１つまたは複数の画像の第１のサンプル集合、および（ｉｉ）１つまたは複数の画像のマスタサンプル集合を得るステップであって、１つまたは複数の画像の前記第１のサンプル集合が、前記Ｘ線源が前記第１の複数の設定に従って動作した結果として取得された、ステップと、
１つまたは複数の画像の前記マスタサンプル集合に１つまたは複数の画像の前記第１のサンプル集合を位置合せするステップと、
画素パラメータ、または前記患者パラメータの１つに基づいて前記位置合せの結果に対応する画素データを処理するステップと、
前記第１の複数の設定を調節して更新された設定を提供するステップであって、前記更新された設定と関連付けられるＸ線量が、前記第１の複数の設定と関連付けられるＸ線量より少ない、ステップとを含む方法。
【請求項１９】
前記Ｘ線源の第２の複数の設定に基づいて１つまたは複数の画像の前記マスタサンプル集合を取得するステップをさらに含み、
前記第２の複数の設定が、前記第１の複数の設定とは異なる、請求項１８に記載の方法。
【請求項２０】
１つまたは複数の画像の前記マスタサンプル集合が、１つまたは複数の画像の前記第１のサンプル集合の前に、かつ１つまたは複数の画像の前記第１のサンプル集合と同じ処置の前または処置中に得られる、請求項１８または１９に記載の方法。
【請求項２１】
１つまたは複数の画像の前記第１のサンプル集合が、自動学習モードまたは手動モードで動作している間に取得される、請求項１８〜２０のいずれか一項に記載の方法。
【請求項２２】
１つまたは複数の画像の前記第１のサンプル集合が、後処理モードの間にメモリからアクセスされる、請求項１８〜２１のいずれか一項に記載の方法。
【請求項２３】
１つまたは複数の画像の前記第１のサンプル集合の品質を判定するステップと、
１つまたは複数の画像の前記第１のサンプル集合の前記品質に基づいて１つまたは複数の画像の第２の集合を取得するステップとをさらに含む、請求項１８〜２２のいずれか一項に記載の方法。
【請求項２４】
前記画素データを処理する前に最小サンプル集合が利用可能であるかどうかを判定するステップと、
前記最小サンプル集合が利用可能でなければ、１つまたは複数の画像の第２のサンプル集合を取得またはアクセスするステップとをさらに含む、請求項１８〜２２のいずれか一項に記載の方法。
【請求項２５】
１つまたは複数の画像の前記第２のサンプル集合が、前記第１の患者の前記関心領域についてであるか、または第２の患者の関心領域についてである、請求項２４に記載の方法。
【請求項２６】
前記患者パラメータが、前記第１の患者に対応するパラメータおよび第２の患者に対応するパラメータを含み、
前記外科医パラメータが、複数の外科医に対する外科医パラメータを含む、
請求項１８〜２５のいずれか一項に記載の方法。
【請求項２７】
前記第１の患者の大きさ、前記患者の前記関心領域、１つまたは複数の画像の前記第１のサンプル集合および１つまたは複数の画像の前記マスタサンプル集合の画素強度レベル、および１つまたは複数の画像の前記第１のサンプル集合の連続性に基づいて、前記Ｘ線源に対する更新された設定を決定するステップをさらに含む、請求項１８〜２６のいずれか一項に記載の方法。
【請求項２８】
１つまたは複数の画像の前記第１のサンプル集合の前記連続性が、１つまたは複数の画像の前記第１のサンプル集合と１つまたは複数の画像の他の記憶されたサンプル集合との間の類似性を指す、請求項２７に記載の方法。
【請求項２９】
自動学習モードの間に、（ｉ）前記第１の複数の設定を前記更新された設定に調節するステップと、（ｉｉ）外科医に前記更新された設定の確認を促すステップとをさらに含む、請求項２７に記載の方法。
【請求項３０】
手動モードの間に、（ｉ）前記第１の複数の設定を調節することなく外科医に前記更新された設定を気付かせるステップと、（ｉｉ）入力が受信され、前記更新された設定の確認を示していれば、前記第１の複数の設定を前記更新された設定に調節するステップとをさらに含む、請求項２７に記載の方法。
【請求項３１】
前記更新された設定を、第２の処置に対する１つまたは複数の画像の予め設定された、または更新されたマスタサンプル集合として記憶するステップをさらに含み、
前記第１の複数の設定が、第１の処置の間に１つまたは複数の画像の前記第１のサンプル集合を取得するために使用され、
前記第２の処置が、前記第１の処置の後に行われる、請求項２７に記載の方法。
【請求項３２】
１つまたは複数の画像の前記第１のサンプル集合を、１つまたは複数の画像の前記マスタサンプル集合と位置合せするために回転させ、かつそのズームレベルを調節するステップと、
１つまたは複数の画像の前記マスタサンプル集合との１つまたは複数の画像の前記第１の集合の位置合せを検証するステップとをさらに含む、請求項１８〜３１のいずれか一項に記載の方法。
【請求項３３】
処置のための前記第１の複数の設定の１つまたは複数が、（ｉ）前記処置のために使用される典型的な設定の１つまたは複数のそれぞれの範囲、または（ｉｉ）前記処置のための推奨設定の１つまたは複数のそれぞれの範囲外であるかどうかを示すフィードバックを提供するステップをさらに含む、請求項１８〜３２のいずれか一項に記載の方法。
【請求項３４】
前記第１の複数の設定の１つまたは複数が１つまたは複数の範囲外であり、前記第１の複数の設定の使用から生じるＸ線量が所定の閾値を超えることを示していることを示す警告信号を生成するステップをさらに含む、請求項１８〜３３のいずれか一項に記載の方法。
【請求項３５】
第１の患者に対する患者パラメータを得るように構成された初期化モジュールであって、前記患者パラメータに基づいてＸ線源に対する第１の複数の設定を選択するように構成された初期化モジュールと、
（ｉ）前記第１の患者の関心領域の１つまたは複数の画像の第１のサンプル集合、および（ｉｉ）１つまたは複数の画像のマスタサンプル集合を得るように構成され、１つまたは複数の画像の前記第１のサンプル集合が、前記Ｘ線源が前記第１の複数の設定に従って動作した結果として取得される、画像モジュールと、
１つまたは複数の画像の前記マスタサンプル集合に１つまたは複数の画像の前記第１のサンプル集合を位置合せするように構成された位置合せモジュールと、
前記位置合せの結果に対応するデータを処理するように構成された処理モジュールと、
前記第１の複数の設定を調節して更新された設定を提供するように構成され、前記更新された設定と関連付けられるＸ線量が、前記第１の複数の設定と関連付けられるＸ線量より少ない、設定モジュールとを備えるシステム。
【請求項３６】
（ｉ）１つまたは複数の画像の前記第１のサンプル集合の品質を判定し、（ｉｉ）１つまたは複数の画像の前記第１のサンプル集合の前記品質に基づいて前記画像モジュールに１つまたは複数の画像の第２の集合を取得するように命令するように構成された品質モジュールをさらに備える、請求項３５に記載のシステム。
【請求項３７】
処置のための前記第１の複数の設定の１つまたは複数が、（ｉ）前記処置のために使用される典型的な設定の１つまたは複数のそれぞれの範囲、または（ｉｉ）前記処置のための推奨設定の１つまたは複数のそれぞれの範囲外であるかどうかを示すフィードバックを提供するように構成されたフィードバックモジュールをさらに備える、請求項３５又は３６に記載のシステム。
【請求項３８】
前記第１の複数の設定の１つまたは複数が１つまたは複数の範囲外であり、前記第１の複数の設定の使用から生じるＸ線量が所定の閾値を超えることを示していることを示す警告信号を生成するように構成された閾値モジュールをさらに備える、請求項３５〜３７のいずれか一項に記載のシステム。
【請求項３９】
第１の患者に対する患者パラメータを得るステップと、
前記患者パラメータに基づいてＸ線源に対する第１の複数の設定を選択するステップと、
（ｉ）前記第１の患者の関心領域の１つまたは複数の画像の第１のサンプル集合、および（ｉｉ）１つまたは複数の画像のマスタサンプル集合を得るステップであって、１つまたは複数の画像の前記第１のサンプル集合が、前記Ｘ線源が前記第１の複数の設定に従って動作した結果として取得される、ステップと、
１つまたは複数の画像の前記マスタサンプル集合に１つまたは複数の画像の前記第１のサンプル集合を位置合せするステップと、
前記位置合せの結果に対応するデータを処理するステップと、
前記第１の複数の設定を調節して更新された設定を提供するステップであって、前記更新された設定と関連付けられるＸ線量が、前記第１の複数の設定と関連付けられるＸ線量より少ない、ステップとを含む方法。
【請求項４０】
第１の患者に対して用いられるパラメータを得るように構成された初期化モジュールであって、前記パラメータに基づいてＸ線源に対する第１の複数の設定を選択するように構成された初期化モジュールと、
（ｉ）前記第１の患者の関心領域の１つまたは複数の画像の第１のサンプル集合、および（ｉｉ）１つまたは複数の画像のマスタサンプル集合を得るように構成され、１つまたは複数の画像の前記第１のサンプル集合が、前記Ｘ線源が前記第１の複数の設定に従って動作した結果として取得される、画像モジュールと、
１つまたは複数の画像の前記マスタサンプル集合に１つまたは複数の画像の前記第１のサンプル集合を位置合せするように構成された位置合せモジュールと、
前記位置合せの結果に対応するデータを処理するように構成された処理モジュールと、
前記第１の複数の設定を調節して更新された設定を提供するように構成される、設定モジュールとを備えるシステム。
【請求項４１】
類似する患者及び処置パラメータに対する第２の外科医のＸ線源パラメータと比較した第１の外科医のＸ線源パラメータを監視するように構成される、外科医評価モジュールを更に備える、請求項４０に記載のシステム。
【請求項４２】
第１の患者に対して用いるパラメータを得るステップと、
前記パラメータに基づいてＸ線源に対する第１の複数の設定を選択するステップと、
（ｉ）前記第１の患者の関心領域の１つまたは複数の画像の第１のサンプル集合、および（ｉｉ）１つまたは複数の画像のマスタサンプル集合を得るステップであって、１つまたは複数の画像の前記第１のサンプル集合が、前記Ｘ線源が前記第１の複数の設定に従って動作した結果として取得される、ステップと、
１つまたは複数の画像の前記マスタサンプル集合に１つまたは複数の画像の前記第１のサンプル集合を位置合せするステップと、
前記位置合せの結果に対応するデータを処理するステップと、
前記第１の複数の設定を調節して更新された設定を提供するステップであって、前記更新された設定と関連付けられるＸ線量が、前記第１の複数の設定と関連付けられるＸ線量より少ない、ステップとを含む方法。
【請求項４３】
前記第１の患者に対して用いるパラメータを得るステップが、少なくとも１人の患者から患者パラメータを、少なくとも１つの処置から処置パラメータを、そして、少なくとも１人の外科医から外科医パラメータを得るステップを含む、請求項４２に記載の方法。